(57)【要約】【課題】  電装化された引き出しの背面のコネクタを、収納庫本体の内奥部のコネクタに一発でスムースに係合させる。【解決手段】  引き出し３の背面に、コネクタと案内装置の一方とを定位置に設けて一部品としてまとめた引き出し側接続部品１０を取り付け、薬品庫１の本体２の内奥部に、コネクタと案内装置の他方とを定位置に設けて一部品としてまとめた本体側接続部品２０を取り付け、引き出し３が本体２に差し戻されるときに、案内装置の一方と他方とが係合して位置決めされた後に、両コネクタが係合するようにした。【選択図】        図３
2006167144.tif 000002
【特許請求の範囲】
【請求項１】
電装化された引き出しと収納庫本体とを電気的に接続する構造において、引き出しの背面に、コネクタと案内装置の一方とを定位置に設けて一部品としてまとめた引き出し側接続部品を取り付け、収納庫本体の内奥部に、コネクタと案内装置の他方とを定位置に設けて一部品としてまとめた本体側接続部品を取り付け、引き出しが収納庫本体に差し戻されるときに、案内装置の一方と他方とが係合して位置決めされた後に、両コネクタが係合するようにしたことを特徴とする引き出し式収納庫の接続構造。
【請求項２】
前記案内部材の一方と他方は、先細り形状を有する案内ピンと該案内ピンが嵌入する被案内孔との組み合わせである請求項１記載の引き出し式収納庫の接続構造。
【請求項３】
前記本体側接続部品は、収納庫本体の内奥部に緩衝支持構造によって支持されている請求項１記載の引き出し式収納庫の接続構造。
【発明の詳細な説明】
【技術分野】
【０００１】
本発明は、薬品庫等の引き出し式収納庫の電装化された引き出しと収納庫本体とを電気的に接続する構造に関するものである。
【背景技術】
【０００２】
調剤薬局の現場において、ピッキング者が、処方箋に基づき、薬品庫における各薬品ごとに定められている定位置から、ビン・アンプル・袋等の容器に入った散剤・液剤・錠剤等の薬品を該容器ごと取り出して集める（ピッキング）時に、誤薬が発生するおそれがある。そこで、ピッキング誤薬防止策として人間の手を使わないロボット的なシステムが数多く考えられている（特許文献１）。しかし、こういった大掛かりなシステムは、多大な設備費・維持費・設置スペース等がかかるため、導入されにくいのが現状である。
【特許文献１】特開平１１−１６９４３６号公報
【０００３】
そこで、本願出願人は先に、現行の調剤設備を大きく変えることなく、最小限の追加設備でピッキング誤薬を効果的に防止することができるシステム及び方法を出願している（特願２００４−１７９０１２：本出願時において未公開）。そのシステムの中で、引き出し式の薬品庫を電装化している。具体的には、引き出し（収納ケース）側に、個別表示ＬＥＤ、ピッキング終了スイッチ、ＩＤ信号センサ、小型マイコン（マイクロコンピュータ）及びバッテリーを設け、小型マイコン及びバッテリーは引き出しの背面に設けたコネクタに結線している。一方、薬品庫本体（棚）側には、統合マイコン及び充電器を設け、これらを薬品庫本体の内奥部のコネクタに結線している。この構造により、引き出しが薬品庫本体に差し戻されると、両コネクタが係合し、小型マイコンと統合マイコンが接続されるとともに、バッテリーが充電されるようになっている。
【発明の開示】
【発明が解決しようとする課題】
【０００４】
ところが、このような引き出しの背面のコネクタを、収納庫本体の狭く奥まった内奥部のコネクタに係合しようとしても、引き出しの僅かな傾きなどによって両コネクタの位置が決まらないために、なかなか上手く係合することができないという問題があった。そこで、本発明は、電装化された引き出しの背面のコネクタを、収納庫本体の内奥部のコネクタに一発でスムースに係合させることができる接続構造を提供することを課題としている。
【課題を解決するための手段】
【０００５】
本発明は、電装化された引き出しと収納庫本体とを電気的に接続する構造において、引き出しの背面に、コネクタと案内装置の一方とを定位置に設けて一部品としてまとめた引き出し側接続部品を取り付け、収納庫本体の内奥部に、コネクタと案内装置の他方とを定位置に設けて一部品としてまとめた本体側接続部品を取り付け、引き出しが収納庫本体に差し戻されるときに、案内装置の一方と他方とが係合して位置決めされた後に、両コネクタが係合するようにしたことを特徴とする。
【０００６】
案内部材の一方と他方は、特に限定されないが、次の組み合わせを例示できる。
（１）先細り形状の案内ピンと該案内ピンが嵌入（特に根元が緊密に嵌入）する被案内孔との組み合わせ。いずれが引き出し側であってもよい。また、案内ピンと被案内孔は一組でもよいが、二組（一対）またはそれ以上であることが好ましい。
（２）近寄ると互いに当接する斜面を備えた壁部材同士の組み合わせ。これも二組（一対）またはそれ以上であることが好ましい。
【０００７】
本体側接続部品は、収納庫本体の内奥部に緩衝支持構造によって支持されていることが好ましい。
【０００８】
なお、収納庫の用途による種類は特に限定されず、薬品庫、書類庫、有価証券庫等を例示できる。
【発明の効果】
【０００９】
本発明に係る引き出し式収納庫の接続構造によれば、電装化された引き出しの背面のコネクタを、収納庫本体の内奥部のコネクタに一発でスムースに係合させることができるという優れた効果を奏する。
【発明を実施するための最良の形態】
【００１０】
電装化された引き出しと収納庫本体とを電気的に接続する構造において、引き出しの背面に、コネクタと案内装置の一方とを定位置に設けて一部品としてまとめた引き出し側接続部品を取り付け、収納庫本体の内奥部に、コネクタと案内装置の他方とを定位置に設けて一部品としてまとめた本体側接続部品を取り付け、引き出しが収納庫本体に差し戻されるときに、案内装置の一方と他方とが係合して位置決めされた後に、両コネクタが係合するようにした。案内部材の一方と他方は、先細り形状を有する案内ピンと該案内ピンが嵌入する被案内孔との組み合わせである。本体側接続部品は、収納庫本体の内奥部に緩衝支持構造によって支持されている。
【実施例】
【００１１】
以下、本発明を引き出し式薬品庫の接続構造に具体化した実施例について説明する。薬品庫１は、本体２（棚）と、本体２に出し入れ可能に設けられた複数の引き出し３（収納ケース）とからなるものである。引き出し３は一般的な上面開口の四角箱状のものであるが、その他の形状のものでもよい。
【００１２】
厳重な保管が必要な薬品が収納される少なくとも一部の引き出し３は、引き出せないように施錠する錠機構（図示略）を備えており、錠機構は後述する小型マイコンにより制御される。
【００１３】
引き出し３については、図２に示すように、３色に色分けされた３個の個別表示ＬＥＤ４が、引き出し３の前面と内部にそれぞれ取り付けられている。内部の３個の個別表示ＬＥＤ４の各隣には３個のピッキング終了スイッチ５が設けられている。ピッキング終了スイッチ５を内部に配することにより、引き出し３を抜かない限りピッキング終了スイッチ５を押せない構造となっている。また、引き出し３の前面にはＩＤ信号センサ６（例えば光センサ）が取り付けられている。
【００１４】
また、抜き取り可能な引き出し３の内部には小型マイコン７（マイクロコンピュータ）が設けられ、ＬＥＤの点滅制御、錠機構の施錠／解錠制御、ピッキング受理信号等の諸デ−タを処理するようになっている。この小型マイコン７はバッテリー８を備えているので、薬品庫から抜けた状況でも表示機能・ピッキングデ−タ保持機能を有する。
【００１５】
引き出し３の背面には、引き出し側接続部品１０がその基板１１においてネジ１５で取り付けられている。引き出し側接続部品１０は、金属又は樹脂からなる基板１１と、基板１１の略中央部の定位置に取り付けられた雄コネクタ１２と、該雄コネクタ１２の左右両脇にあるよう基板１１の左右部の定位置に取り付けられた案内ピン１３とが、一部品としてまとめられたものである。雄コネクタ１２は複数の凸端子１２ａとそれらを取り囲むシールド壁１２ｂとを備えたもので、凸端子１２ａに小型マイコン７及びバッテリー８が結線されている。一対の案内ピン１３は、根元部から途中部までが一定径の丸棒形状をなし、途中部から先端部が先細り形状（略円錐形状）をなすものであって、後方へ雄コネクタ１２よりも長く突出している。
【００１６】
薬品庫の本体２の内奥部には、本体側接続部品２０がその基板２１において緩衝支持構造により取り付けられ支持されている。本体側接続部品２０は、金属又は樹脂からなる基板２１と、基板２１の略中央部の定位置に取り付けられた雌コネクタ２２と、雌コネクタ２２の左右両脇にあるよう基板２１の左右部の定位置に貫設された案内孔２３とが、一部品としてまとめられたものである。雌コネクタ２２は複数の凹端子２２ａとそれらを取り囲むシールド壁２２ｂとを備えたもので、凹端子２２ａに統合マイコン３０及び充電器３１が結線されている。一対の案内孔２３は、前記一対の案内ピン１３の延長線上位置に形成されている。
【００１７】
本体側接続部品２０の緩衝支持構造は、基板２１に形成された一対の支持孔２４に摺動可能に挿通されて、頭部が基板２１の手前方向への変位を規制し、先端が本体２の内奥部に止められた頭部付きのネジ２５と、基板２１と本体２の内奥部との間においてネジ２５に外挿されたスペーサ２６（該間の間隔よりも短い）及びコイルスプリング２７（該間の間隔よりも長いものを該間に圧縮したもの）とからなる。この緩衝支持構造によって、本体側接続部品２０は本体２の内奥部の手前位置に手前方向へ付勢された状態で支持され、また、この付勢に抗しながら基板２１がスペーサ２６に当たるまで奥方向へ移動できるように支持されている。なお、本体２の内奥部には、一対の案内孔２３の軸線延長上に、一対の逃がし孔４２が形成されている。
【００１８】
よって、引き出された引き出し３が本体２に差し戻されるときには、一対の案内ピン１３の先細った先端部が一対の案内孔２３に楽に入ってから、より深く入り込んで、案内ピン１３の途中部以降の一定径部分が案内孔２３に緊密に係合する。これにより、雄コネクタ１２が雌コネクタ２２の正面に導かれて正確に対峙するよう位置決めされ、その後に雌コネクタ２２に当接する。そして当接当初は、係合することなく雄コネクタ１２が雌コネクタ２２を押すため、本体側接続部品２０がコイルスプリング２７の付勢に抗しながら奥方向へ移動して緩衝作用が働き、それから基板２１がスペーサ２６に当たって止まる。その後、雄コネクタ１２が雌コネクタ２２に係合して電気的に接続され、小型マイコン７と統合マイコン３０が接続されるとともに、バッテリー８が充電器３１により充電される。なお、図５に示すように、雄コネクタ１２及び雌コネクタ２２の対向端子信号のＡＮＤを取ることにより、コネクタ１２，２２接続の完了が確認される。また、案内ピン１３の先端は、本体２の逃がし孔４２に入り込んで逃がされる。
【００１９】
以上のとおり構成された本実施例の接続構造によれば、次の作用効果が得られる。
（ａ）引き出し側接続部品１０は雄コネクタ１２と案内装置の一方としての案内ピン１３とを定位置に設けて一部品としてまとめており、本体側接続部品２０は雌コネクタ２２と案内装置の他方ととての案内孔２３とを定位置に設けて一部品としてまとめているので、コネクタと案内装置との相対位置が狂うことなく決まっているとともに、部品点数が少なく、収納庫としての薬品庫１に取り付けやすい。
（ｂ）引き出し３を本体２に差し戻すとき、コネクタが係合する前に案内ピン１３と案内孔２３とで位置決めするので、電装化された引き出し３の背面の雌コネクタ１２を、薬品庫１の本体２の内奥部の雌コネクタ２２に一発でスムースに係合させることができる。
【００２０】
（ｂ）引き出し３を差し戻すときに多少傾いたとしても、案内ピン１３は先細り形状を有していて、その先端より大きい案内孔２３に楽に入るので、引き出し３を差し直す必要がない。
（ｃ）本体側接続部品２０が本体２の内奥部に緩衝支持構造により支持されているので、雄コネクタ１２が雌コネクタ２２に当接したときに緩衝作用が働く。このため、コネクタ１２，２２の損傷が防止され、また、引き出し３を差し戻してコネクタ１２，２２を係合させるときの感触が良くなる。
【００２１】
本発明は前記実施例に限定されるものではなく、例えば次のように、発明の趣旨から逸脱しない範囲で適宜変更して具体化することもできる。
（１）引き出し側接続部品１０の側に雌コネクタ、本体側接続部品２０の側に雄コネクタを設けてもよい。
（２）緩衝支持機構の構成は適宜変更でき、例えば頭部付きのネジ２５は別の支持ロッドに変更してもよいし、コイルスプリング２７は他のバネに変更してもよい。
【図面の簡単な説明】
【００２２】
【図１】本発明に係る実施例の薬品庫を示す斜視図である。
【図２】同薬品庫の引き出し及び本体（一部）の平面図である。
【図３】同引き出しと本体のコネクタの接続構造を示す斜視図である。
【図４】同コネクタの接続構造を示し、（ａ）は接続直前の側面図、（ｂ）は接続後の側面図である。
【図５】同コネクタの接続完了確認方法を示す斜視図である。
【符号の説明】
【００２３】
１    薬品庫
２    本体
３    引き出し
１０    引き出し側接続部品
１１    基板
１２    雄コネクタ
１３    案内ピン
２０    本体側接続部品
２１    基板
２２    雌コネクタ
２３    案内孔
２４    支持孔
２５    ネジ
２６    スペーサ
２７    コイルスプリング
【図１】
2006167144.tif 000003
【図２】
2006167144.tif 000004
【図３】
2006167144.tif 000005
【図４】
2006167144.tif 000006
【図５】
2006167144.tif 000007